【事件の表示】
　特願２０１４−２２２０７３「遊技機」拒絶査定不服審判事件〔平成２７年　２月　５日出願公開、特開２０１５−　２４２７３〕について、次のとおり審決する。
【結　論】
　本件審判の請求は、成り立たない。
【理　由】
第１　手続の経緯 
　本願は、平成２５年６月２９日に出願した特願２０１３−１３７６４６号の一部を平成２６年１０月３０日に新たな特許出願としたものであって、平成２８年１月７日付けで拒絶理由通知がなされ、これに対し同年３月２２日付けで手続補正がなされ、同年９月１５日付けで最後の拒絶理由通知がなされ、これに対し同年１１月２１日付けで手続補正がなされたが、平成２９年２月２１日付け（発送日：同年２月２８日）で平成２８年１１月２１日付けの手続補正が却下されるとともに拒絶査定がなされ、これに対して、平成２９年５月２９日付けで拒絶査定不服審判の請求がなされると同時に手続補正（以下、「本件補正」という。）がなされたものである。  
第２　本件補正についての補正却下の決定 
［補正却下の決定の結論］ 
　本件補正を却下する。 
［理由］ 
１．本件補正の概要 
　本件補正は特許請求の範囲の請求項１の記載の補正を含むものであり、平成２８年３月２２日付けの手続補正の特許請求の範囲の請求項１の記載と本件補正の特許請求の範囲の請求項１の記載はそれぞれ、以下のとおりである（下線部は補正箇所を示す。また、Ａ〜Ｊについては発明を分説するため当審で付与した。）。 
（平成２８年３月２２日付けの手続補正） 
「【請求項１】 
　判定を実行する判定手段と、
　その判定手段による判定結果が特定の結果であることに基づいて、遊技者に有利となる特典遊技を実行する特典遊技実行手段と、を有した遊技機において、
　遊技者が操作可能な操作手段と、
　その操作手段が操作された場合に、その操作が有効な操作として判別される有効期間を設定する期間設定手段と、
　前記操作手段が前記有効期間内に操作されたことに基づいて、遊技者に遊技情報を付与する遊技情報付与手段と、
　その遊技情報付与手段により付与される遊技情報を複数の遊技情報の中より決定する遊技情報決定手段と、
　その遊技情報決定手段により決定される遊技情報として、第１遊技情報とその第１遊技情報とは異なる第２遊技情報とが少なくとも記憶された記憶手段と、
　前記有効期間のうち、前記第１遊技情報が決定され易い第１期間と、前記第２遊技情報が決定され易い第２期間とを設定する情報期間設定手段と、
　前記期間設定手段により設定される前記有効期間に対応する有効期間情報と、前記第２期間の少なくとも一部の期間に対応する第２期間情報とのそれぞれに対応する報知態様を前記期間設定手段により前記有効期間が設定される場合に報知する報知手段と、を有し、
　前記有効期間情報に対応した前記報知態様には、前記有効期間の減少に対応して可変し前記第２期間情報に対応した報知態様と組み合わせることで、前記第２期間情報に対応する期間内であるかを識別可能な識別態様が含まれているものであることを特徴とする遊技機。」 
（本件補正）  
「【請求項１】 
Ａ　判定を実行する判定手段と、
Ｂ　その判定手段による判定結果が特定の結果であることに基づいて、遊技者に有利となる特典遊技を実行する特典遊技実行手段と、を有した遊技機において、
Ｃ　遊技者が操作可能な操作手段と、
Ｄ　その操作手段が操作された場合に、その操作が有効な操作として判別される有効期間を設定する期間設定手段と、
Ｅ　前記操作手段が前記有効期間内に操作されたことに基づいて、遊技者に遊技情報を付与する遊技情報付与手段と、
Ｆ　その遊技情報付与手段により付与される遊技情報を複数の遊技情報の中より決定する遊技情報決定手段と、
Ｇ　その遊技情報決定手段により決定される遊技情報として、第１遊技情報とその第１遊技情報とは異なる第２遊技情報とが少なくとも記憶された記憶手段と、
Ｈ　前記有効期間のうち、前記第１遊技情報が決定され易い第１期間と、前記第２遊技情報が決定され易い第２期間とを設定する情報期間設定手段と、
Ｉ　前記期間設定手段により設定される前記有効期間に対応する有効期間情報
を示すための有効期間識別情報と、
を示すための第２有効期間識別情報と
それぞれ個別に表示される表示手段
Ｊ　
前記有効期間識別情報は、前記有効期間の減少に対応して可変して表示されるものであり、
Ｋ　
前記第２有効期間識別情報は、前記有効期間識別情報と組み合わせて識別されることで、前記有効期間の減少に対応して可変して表示せずに前記第２期間情報に対応する期間内であることを識別可能に表示されるものである
２．補正の適否　　 
　本件補正によって、補正後の請求項１は、補正前の請求項１に記載された発明特定事項である「前記期間設定手段により設定される前記有効期間に対応する有効期間情報と、前記第２期間の少なくとも一部の期間に対応する第２期間情報とのそれぞれに対応する報知態様を前記期間設定手段により前記有効期間が設定される場合に報知する報知手段」について、その「報知態様」を「有効期間情報を示すための有効期間識別情報と」「第２期間情報を示すための第２有効期間識別情報とが」「それぞれ個別に表示される」ものであることに限定し、その「報知手段」を「表示手段」に限定するとともに、補正前の請求項１に記載された発明特定事項である「前記有効期間情報に対応した前記報知態様には、前記有効期間の減少に対応して可変し前記第２期間情報に対応した報知態様と組み合わせることで、前記第２期間情報に対応する期間内であるかを識別可能な識別態様が含まれているものである」ことについて、その「報知態様」を「有効期間情報を示すための有効期間識別情報」と「第２期間情報を示すための第２有効期間識別情報」として上記限定と整合させるとともに、「前記第２有効期間識別情報は」「前記有効期間の減少に対応して可変して表示」しないという限定を付加したものである。
　さらに、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。 
　そして、本件補正は、明細書の段落【０４０５】〜【０４０７】、【０４１５】及び図５９等の記載に基づいており、新規事項を追加するものではない。 
３．独立特許要件 
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。 
（１）本件補正後の請求項１に係る発明 
　補正後の請求項１に係る発明（以下、「本願補正発明」という。）は、上記１．の本件補正の概要において示したとおりのものである。
（２）刊行物に記載された事項 
　原査定の拒絶の理由に引用された本願の出願前に頒布された刊行物である特開２０１２−２００４６６号公報（以下、「刊行物１」という。）には、図面と共に次の事項が記載されている（下線は当審で付した。）。 
「【００１０】
　＜全体構成＞
　まず、図１を用いて、本発明の一実施形態に係る
パチンコ機１００
「【００１５】
　球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、
遊技者の操作によって各種演出装置２０６の演出態様に変化を与えるチャンスボタン１３６
「【００２５】
 　遊技領域１２４の略中央には、演出装置２０６を配設している。この演出装置２０６には、略中央に
装飾図柄表示装置２０８
「【００３５】
　可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、
特図変動遊技に当選して特図表示装置が大当り図柄を停止表示した場合に扉部材２３４ａが所定の時間間隔（例えば、開放時間２９秒、閉鎖時間１．５秒）、所定の回数（例えば１５回）で開閉する
「【００４５】
　パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う
第１副制御部４００
「【００５４】
　＜第１副制御部＞
　次に、パチンコ機１００の第１副制御部４００について説明する。第１副制御部４００は、主に主制御部３００が送信したコマンド等に基づいて第１副制御部４００の全体を制御する基本回路４０２を備えており、この基本回路４０２には、ＣＰＵ４０４と、制御プログラムや各種
演出データを記憶するためのＲＯＭ４０６
「【０１２６】
　図８を用いて、第１副制御部４００の処理について説明する。なお、同図（ａ）は、
第１副制御部４００のＣＰＵ４０４
「【０１３３】
　また、このボタン受付期間の開始時に、チャンスボタン１３６の押下操作の受付が可能であることを遊技者に報知するための演出データを準備し、後述する画像制御処理において、例えば、図１４（ｂ）に示すような報知（この例では、チャンスボタン１３６を模した画像の表示）を行う。また、
ボタン受付期間中にチャンスボタン１３６の押下を検出した場合には、予告を行うための演出データを準備し
画像制御処理において
予告（この例では、「激アツだ！！」という文字表示）を行う
「【０１６５】
　
主制御部３００
特図１関連抽選処理において特図１変動時間決定テーブルを参照し、特図１変動遊技の当否判定
【０１６６】
　また、
主制御部３００
特図２関連抽選処理において特図２変動時間決定テーブルを参照し、特図２変動遊技の当否判定
【０１６７】
　＜予告演出＞
　次に、上述の特図関連抽選処理（ステップＳ２２９およびＳ２３１）の当否判定結果に応じて
装飾図柄表示装置２０８
表示する演出
チャンスボタン１３６
所定の受付期間内に操作された場合にその操作が有効となるように設定されており
「【０１６９】
　
第１副制御部４００のＣＰＵ４０４
と
予告抽選処理を実行する
「【０１７８】
　また、特に図示しないが、この
予告抽選処理では、主制御部３００から受信した当否判定結果と、予めＲＯＭ４０６に記憶された所定の予告抽選テーブルと
乱数値とに基づいて、予告の詳細な内容（例えば、ボタンが押下されたら「激アツだ！！」という文字表示を行うか、「・・・。」という文字表示を行うか、等）も決定する
「【０２８６】
　例えば、
ボタン受付期間の残り時間の報知態様
として
最初に満タンのメータを基準色（例えば青色）のみで表示し、例えばボタン受付期間が６秒の場合には、１秒間に１／６ずつメータを減らしていく
【０２８７】
　
報知開始から１秒が経過した時点で、メータの一部の領域を特別色（例えば赤色）に変化させ
この特別色に変化した特別領域も、時間の経過に伴いメータが減少するのに合わせて位置を移動させていく
【０２８８】
　
メータの基端部（ここでは左端部）が基準色になっているタイミング
で遊技者がチャンスボタン１３６を押下した場合には、期待感の低い予告（例えば、
「・・・」という予告）を表示する
一方、メータの基端部が特別色になっているタイミング
で遊技者がチャンスボタン１３６を押下した場合には、期待感の高い予告（例えば、
「激アツだ！！」という予告）を表示する
　上記記載事項を総合すれば、刊行物１には以下の発明（以下、「引用発明」という。）が記載されている（ａ〜ｋについては本願補正発明のＡ〜Ｋに対応させて付与した。）。
 
「ａ　特図１関連抽選処理において特図１変動時間決定テーブルを参照し、特図１変動遊技の当否判定を行い、特図２関連抽選処理において特図２変動時間決定テーブルを参照し、特図２変動遊技の当否判定を行う主制御部３００（【０１６５】、【０１６６】）を有し、
ｂ　特図変動遊技に当選して特図表示装置が大当り図柄を停止表示した場合に可変入賞口２３４が備える扉部材２３４ａが所定の時間間隔（例えば、開放時間２９秒、閉鎖時間１．５秒）、所定の回数（例えば１５回）で開閉する（【００３５】）、パチンコ機１００（【００１０】）において、
ｃ　遊技者の操作によって各種演出装置２０６の演出態様に変化を与えるチャンスボタン１３６（【００１５】）であって、
ｄ　所定の受付期間内に操作された場合にその操作が有効となるように設定されるチャンスボタン１３６（【０１６７】）と、
ｅ　ボタン受付期間中にチャンスボタン１３６の押下を検出した場合には、予告（例えば、「激アツだ！！」という文字表示）を行うための演出データを準備し、画像制御処理において、予告を行う第１副制御部４００のＣＰＵ４０４（【００４５】、【０１２６】、【０１３３】）であって、
ｆ　主制御部３００から受信した当否判定結果と、予めＲＯＭ４０６に記憶された所定の予告抽選テーブルと、乱数値とに基づいて、予告の詳細な内容（例えば、ボタンが押下されたら「激アツだ！！」という文字表示を行うか、「・・・。」という文字表示を行うか、等）も決定する予告抽選処理を実行する第１副制御部４００のＣＰＵ４０４（【００４５】、【０１６９】、【０１７８】）と、
ｇ　予告（例えば、ボタンが押下されたら「激アツだ！！」という文字表示を行うか、「・・・。」という文字表示を行うか、等）を行うための演出データ等を記憶するためのＲＯＭ４０６（【００５４】、【０１３３】、【０１７８】）と、
ｉ、ｊ、ｋ　ボタン受付期間の残り時間の報知態様として、最初に満タンのメータを基準色（例えば青色）のみで表示し、例えばボタン受付期間が６秒の場合には、１秒間に１／６ずつメータを減らしていき、報知開始から１秒が経過した時点で、メータの一部の領域を特別色（例えば赤色）に変化させ、この特別色に変化した特別領域も、時間の経過に伴いメータが減少するのに合わせて位置を移動させていく演出を表示する装飾図柄表示装置２０８（【００２５】、【０１６７】、【０２８６】、【０２８７】と、を有し、
ｈ、ｉ　メータの基端部（ここでは左端部）が基準色になっているタイミングで遊技者がチャンスボタン１３６を押下した場合には、期待感の低い予告（例えば、「・・・」という予告）を表示する一方、メータの基端部が特別色になっているタイミングで遊技者がチャンスボタン１３６を押下した場合には、期待感の高い予告（例えば、「激アツだ！！」という予告）を表示する（【０２８８】）、パチンコ機１００。」
（３）対比 
　本願補正発明と引用発明とを対比する。なお、見出し（ａ）〜（ｋ）は、本願補正発明のＡ〜Ｋ及び引用発明のａ〜ｋに対応させている。
 
（ａ）引用発明の「ａ　特図１関連抽選処理において特図１変動時間決定テーブルを参照し、特図１変動遊技の当否判定を行い、特図２関連抽選処理において特図２変動時間決定テーブルを参照し、特図２変動遊技の当否判定を行う主制御部３００」は、本願補正発明の「Ａ　判定を実行する判定手段」に相当する。
（ｂ）引用発明の「ｂ　特図変動遊技に当選して特図表示装置が大当り図柄を停止表示した場合に可変入賞口２３４が備える扉部材２３４ａが所定の時間間隔（例えば、開放時間２９秒、閉鎖時間１．５秒）、所定の回数（例えば１５回）で開閉する」ことは、本願補正発明の「Ｂ　その判定手段による判定結果が特定の結果であることに基づいて、遊技者に有利となる特典遊技を実行する」ことに相当する。
　そして、引用発明は「ｂ　特図変動遊技に当選して特図表示装置が大当り図柄を停止表示した場合に扉部材２３４ａが所定の時間間隔（例えば、開放時間２９秒、閉鎖時間１．５秒）、所定の回数（例えば１５回）で開閉する」ものであって、そのための実行手段を有することは明らかであるから、引用発明は本願補正発明の「特典遊技実行手段」を有するものといえる。
　さらに、引用発明の「パチンコ機１００」は、本願補正発明の「遊技機」に相当する。 
（ｃ）引用発明の「ｃ　遊技者の操作によって各種演出装置２０６の演出態様に変化を与えるチャンスボタン１３６」は、本願補正発明の「Ｃ　遊技者が操作可能な操作手段」に相当する。 
（ｄ）引用発明の「チャンスボタン１３６」が「ｄ　所定の受付期間内に操作された場合にその操作が有効となるように設定」することは、本願補正発明の「Ｄ　その操作手段が操作された場合に、その操作が有効な操作として判別される有効期間を設定する」ことに相当する。
　そして、引用発明は「チャンスボタン１３６」が「ｄ　所定の受付期間内に操作された場合にその操作が有効となるように設定」するものであって、そのための設定手段を有することは明らかであるから、引用発明は本願補正発明の「期間設定手段」を有するものといえる。
（ｅ）引用発明の「ｅ　ボタン受付期間中にチャンスボタン１３６の押下を検出した場合には、予告（例えば、「激アツだ！！」という文字表示）を行うための演出データを準備し、画像制御処理において、予告を行う第１副制御部４００のＣＰＵ４０４」は、本願補正発明の「Ｅ　前記操作手段が前記有効期間内に操作されたことに基づいて、遊技者に遊技情報を付与する遊技情報付与手段」に相当する。
（ｆ）引用発明において「ｆ　主制御部３００から受信した当否判定結果と、予めＲＯＭ４０６に記憶された所定の予告抽選テーブルと、乱数値とに基づいて、予告の詳細な内容（例えば、ボタンが押下されたら「激アツだ！！」という文字表示を行うか、「・・・。」という文字表示を行うか、等）も決定する予告抽選処理を実行する第１副制御部４００のＣＰＵ４０４」は、本願補正発明の「Ｆ　その遊技情報付与手段により付与される遊技情報を複数の遊技情報の中より決定する遊技情報決定手段」に相当する。
（ｇ）引用発明の「ｇ　予告（例えば、ボタンが押下されたら「激アツだ！！」という文字表示を行うか、「・・・。」という文字表示を行うか、等）を行う演出データ等を記憶するためのＲＯＭ４０６」は、本願補正発明の「Ｇ　その遊技情報決定手段により決定される遊技情報として、第１遊技情報とその第１遊技情報とは異なる第２遊技情報とが少なくとも記憶された記憶手段」に相当する。
（ｈ）引用発明の「ｈ　メータの基端部（ここでは左端部）が基準色になっているタイミングで遊技者がチャンスボタン１３６を押下した場合には、期待感の低い予告（例えば、「・・・」という予告）を表示する一方、メータの基端部が特別色になっているタイミングで遊技者がチャンスボタン１３６を押下した場合には、期待感の高い予告（例えば、「激アツだ！！」という予告）を表示する」ことについて、引用発明が期待感の低い予告を表示するメータの基端部が基準色になっているタイミングのボタン受付期間と、期待感の高い予告を表示するメータの基端部が特別色になっているタイミングのボタン受付期間とを設定するための設定手段を有することは明らかであるから、引用発明は、本願補正発明の「Ｈ　前記有効期間のうち、前記第１遊技情報が決定され易い第１期間と、前記第２遊技情報が決定され易い第２期間とを設定する情報期間設定手段」を有するものといえる。 
（ｉ）引用発明の「最初に満タン」「を基準色（例えば青色）のみで表示し、例えばボタン受付期間が６秒の場合には、１秒間に１／６ずつ」「減らしてい」く「メータ」、及び、「報知開始から１秒が経過した時点で」「メータの一部の領域を特別色（例えば赤色）に変化し、そのタイミングで遊技者がチャンスボタン１３６を押下した場合には、期待度の高い予告（例えば、「激アツだ！！」という予告）を表示する特別領域」は、それぞれ、本願補正発明の「有効期間に対応する有効期間情報を示すための有効期間識別情報」、及び、「第２期間の少なくとも一部の期間に対応する第２期間情報を示すための第２有効期間識別情報」に相当する。
　そして、引用発明の「ボタン受付期間の残り時間の報知態様として、最初に満タンのメータを基準色（例えば青色）のみで表示し、例えばボタン受付期間が６秒の場合には、１秒間に１／６ずつメータを減らしていき、報知開始から１秒が経過した時点で、メータの一部の領域を特別色（例えば赤色）に変化させ」る「演出を表示する装飾図柄表示装置２０８」において、「満タンのメータ」に対応する「６秒」の「ボタン受付期間」と、「特別色」の「特別領域」の「ボタン受付時間」がそれぞれ設定手段により設定されることは明らかであるから、これら引用発明の構成と、本願補正発明の「Ｉ　前記期間設定手段により設定される前記有効期間に対応する有効期間情報を示すための有効期間識別情報と、前記第２期間の少なくとも一部の期間に対応する第２期間情報を示すための第２有効期間識別情報とが前記期間設定手段により前記有効期間が設定される場合にそれぞれ個別に表示される表示手段」とは、「Ｉ’前記期間設定手段により設定される前記有効期間に対応する有効期間情報を示すための有効期間識別情報と、前記第２期間の少なくとも一部の期間に対応する第２期間情報を示すための第２有効期間識別情報とが前記期間設定手段により前記有効期間が設定される場合にそれぞれ」「表示される表示手段」の点で共通する。
（ｊ）引用発明の「最初に満タンのメータを基準色（例えば青色）のみで表示し、例えばボタン受付期間が６秒の場合には、１秒間に１／６ずつメータを減らしてい」くことは、本願補正発明の「Ｊ　前記有効期間識別情報は、前記有効期間の減少に対応して可変して表示される」ことに相当する。
（ｋ）引用発明の「メータの一部の領域を特別色（例えば赤色）に変化させ、この特別色に変化した特別領域も、時間の経過に伴いメータが減少するのに合わせて位置を移動させていく」ことと、本願補正発明の「Ｋ　前記第２有効期間識別情報は、前記有効期間識別情報と組み合わせて識別されることで、前記有効期間の減少に対応して可変して表示せずに前記第２期間情報に対応する期間内であることを識別可能に表示される」こととは、「Ｋ’前記第２有効期間識別情報は、前記有効期間識別情報と組み合わせて識別されることで、前記有効期間の減少に対応して」「前記第２期間情報に対応する期間内であることを識別可能に表示される」点で共通する。 
　そうすると、両者は、 
「Ａ　判定を実行する判定手段と、
Ｂ　その判定手段による判定結果が特定の結果であることに基づいて、遊技者に有利となる特典遊技を実行する特典遊技実行手段と、を有した遊技機において、
Ｃ　遊技者が操作可能な操作手段と、
Ｄ　その操作手段が操作された場合に、その操作が有効な操作として判別される有効期間を設定する期間設定手段と、
Ｅ　前記操作手段が前記有効期間内に操作されたことに基づいて、遊技者に遊技情報を付与する遊技情報付与手段と、
Ｆ　その遊技情報付与手段により付与される遊技情報を複数の遊技情報の中より決定する遊技情報決定手段と、
Ｇ　その遊技情報決定手段により決定される遊技情報として、第１遊技情報とその第１遊技情報とは異なる第２遊技情報とが少なくとも記憶された記憶手段と、
Ｈ　前記有効期間のうち、前記第１遊技情報が決定され易い第１期間と、前記第２遊技情報が決定され易い第２期間とを設定する情報期間設定手段と、
Ｉ’　前記期間設定手段により設定される前記有効期間に対応する有効期間情報を示すための有効期間識別情報と、前記第２期間の少なくとも一部の期間に対応する第２期間情報を示すための第２有効期間識別情報とが前記期間設定手段により前記有効期間が設定される場合にそれぞれ表示される表示手段と、を有し、
Ｊ　前記有効期間識別情報は、前記有効期間の減少に対応して可変して表示されるものであり、
Ｋ’前記第２有効期間識別情報は、前記有効期間識別情報と組み合わせて識別されることで、前記有効期間の減少に対応して前記第２期間情報に対応する期間内であることを識別可能に表示されるものであることを特徴とする遊技機。」 
である点で一致し、次の点で相違する。
(相違点１）
「Ｉ’　前記期間設定手段により設定される前記有効期間に対応する有効期間情報を示すための有効期間識別情報と、前記第２期間の少なくとも一部の期間に対応する第２期間情報を示すための第２有効期間識別情報とが前記期間設定手段により前記有効期間が設定される場合にそれぞれ表示される」態様が、本願補正発明はそれぞれ「個別に」表示されるのに対し、引用発明はそのようなものではない点。
（相違点２）
「Ｋ’前記第２有効期間識別情報は、前記有効期間識別情報と組み合わせて識別されることで、前記有効期間の減少に対応して前記第２期間情報に対応する期間内であることを識別可能に表示される」態様が、本願補正発明は「可変して表示」しないものであるのに対し、引用発明ではそのようなものではない点。
（４）判断
　上記相違点について検討する。
（相違点１及び２について）
　パチンコ機等の遊技機において、演出ボタンの受付期間を報知するために移動表示される有効期間識別情報と、有効期間の減少に対応して可変せずに演出ボタンの操作タイミングを示す第２有効期間識別情報とを、個別に表示させることは、例えば、
周知例イ．特開２０１２−２２３４７２号公報
（段落【０１０９】〜【０１１１】の記載を参照すれば、【図６】から、演出ボタン２５の操作の有効期間の開始からの経過時間に対応する位置を示す有効期間表示４１ａと、有効期間の減少に対応して可変せずに演出ボタン２５の操作タイミングに対応する位置に表示されるタイミング表示４１ｂとを、個別に表示させていることが見て取れる。）、
周知例ロ．特開２０１３−１１１２３７号公報
（段落【００７６】〜【００７８】の記載を参照すれば、【図８】（ａ）（ｂ）から、時間スケール画像Ｍ１によって表される時間スケールにおける経過時間位置を表現したものであって経過時間に比例して横バーが延びる経過時間位置画像Ｍ２と、時間の経過に対応して可変せずに時間スケール画像Ｍ１によって表される時間スケール内の特定のタイミングを表現したものであって時間スケール画像Ｍ１の途中に所定の幅で表示される特定タイミング画像Ｍ３、特定タイミング画像Ｍ３の上方の下向き矢印画像、及びその矢印画像の上方の「ＰＵＳＨ！！」というメッセージ画像とを、個別に表示させていることが見て取れる。）
に記載されているように周知技術である。
　そして、上記周知技術は、引用発明と同様に、パチンコ機等の遊技機において、演出ボタンの有効期間と操作タイミングを遊技者に報知するための表示態様に関するものであるから、引用発明において、演出ボタンの有効期間と操作タイミングを簡便にわかりやすく表示するために、上記周知技術を適用して相違点１及び２に係る本願補正発明の構成に想到することは当業者が容易になし得るものである。
　また、本願補正発明の奏する効果は、引用発明及び周知技術から当業者が予測できる範囲のものであり、格別顕著なものではない。
　したがって、本願補正発明は、引用発明及び周知技術から当業者が容易に発明をすることができたものである。
（５）請求人の主張について
　請求人は、審判請求書の第６〜７頁において次のような主張をしている。
「本願発明では、有効期間が設定される場合に、有効期間に対応した有効期間情報を示すための有効期間識別情報と、第２期間の少なくとも一部の期間を示す第２期間情報を示すための第２有効期間識別情報とをそれぞれ個別に表示させて、有効期間と第２有効期間とを分かり易く報知する構成でありながら、有効期間識別情報については、有効期間の減少に対応して可変して表示する一方、第２有効期間識別情報については、有効期間の減少に対応して可変させずに表示し、有効期間識別情報と組み合わせて識別することで有効期間が識別できるように構成したものであり、可変して表示しない第２有効期間識別情報と可変して移動表示される有効期間識別情報とを組み合わせて識別することで第２期間の範囲内であることが容易な判断で分かりやすくでき、より分かり易く遊技を行うことができるという特有の効果を有するものです。また、第２有効期間識別情報について有効期間の減少に対応して可変させる必要がないことから表示制御における負荷を軽減することができるという特有の効果も有するものです。 
　しかしながら、引用文献１の構成では、有効期間を示す図柄の一部を特定の期間を示す態様に可変して表示させる構成のみが記載されており、有効期間の減少に同期して、特定の期間を示す態様について可変させて表示させるように制御しないと、特定の期間については識別できないものであり、表示制御の負荷を軽減できるものでなく、特定の期間を示す態様についても可変して表示されるので、遊技態様が複雑となり遊技が本願発明よりも難しくなるものです。 
　・・・
 　よって、請求項１に係る発明は、引用文献１には記載のない特徴的な構成を有しており、特許法第２９条第１項第３号に該当するものではなく、また、引用文献１の存在下であっても、十分な進歩性を有しており、特許法第２９条第２項の規定にも該当しないと確信致します。」
　しかしながら、上記（４）で検討したように、有効期間が設定される場合に、有効期間に対応した有効期間情報を示すための有効期間識別情報と、第２期間の少なくとも一部の期間を示す第２期間情報を示すための第２有効期間識別情報とをそれぞれ個別に表示させて、有効期間と第２有効期間とを分かり易く報知する構成でありながら、有効期間識別情報については、有効期間の減少に対応して可変して表示する一方、第２有効期間識別情報については、有効期間の減少に対応して可変させずに表示し、有効期間識別情報と組み合わせて識別することで有効期間が識別できるように構成することは、パチンコ機等の遊技機における周知技術であり、この周知技術を引用発明に適用することは当業者が容易になし得るものであるから、請求人の主張は採用できない。
（６）小括 
　したがって、本願補正発明は、引用発明及び周知技術に基づいて、当業者が容易に発明をすることができたものであるから、特許法第２９条第２項の規定に基づいて特許出願の際独立して特許を受けることができない。 
４．むすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明 
　本件補正は、上記のとおり却下されたので、本願の請求項１及び２に係る発明は、平成２７年６月３日付けの手続補正書により補正された特許請求の範囲の請求項１及び２に記載された事項により特定されるものであるところ、その請求項１に係る発明（以下、「本願発明」という。）は、上記第２の１．で示した特許請求の範囲の請求項１に記載されたとおりのものである。
１．刊行物 
　原査定の拒絶の理由に引用された刊行物１の記載事項は、上記第２の３．（２）に記載したとおりである。
２．対比・判断 
　本願発明は、本願補正発明の発明特定事項から、「報知態様」を「有効期間情報を示すための有効期間識別情報と」「第２期間情報を示すための第２有効期間識別情報とが」「それぞれ個別に表示される」ものであることの限定を省き、「表示手段」を「報知手段」に上位概念化し、「前記第２有効期間識別情報は」「前記有効期間の減少に対応して可変して表示」しないという限定を省いたものでる。
　そして、本願発明と引用発明とを対比すると、本願発明は、上記第２の３．（３）で検討した相違点１及び２に係る構成を有さないから、本願発明と引用発明とは相違点がなく、同一である。
　したがって、本願発明は、刊行物１に記載された発明であるといえる。
　また、仮に相違点があったとしても、本願発明は引用発明から容易に発明をすることができたものである。
３．むすび
　以上のとおり、本願発明は、刊行物１に記載された発明であり、また、仮に、刊行物１に記載された発明でないとしても、引用発明に基づいて当業者が容易に発明をすることができたものであるから、特許法第２９条第１項第３号又は同法第２９条第２項の規定により特許を受けることができないから、他の請求項に係る発明について検討するまでもなく、本願は拒絶されるべきものである。
　よって、結論のとおり審決する。